(57)【要約】【課題】  ユーザが任意のプレイリストを選択管理できるような記録再生装置を提供する。【解決手段】  登録された全てのプレイリスト情報を管理する管理単位及び上位の管理階層を追加し、該管理単位をＡＶデータ全ての再生範囲を示す統合情報と同列に扱うように構成する。また追加した管理階層でユーザ定義による統合情報を扱うように構成し、この統合情報には下位階層に含まれる任意の再生範囲を登録できるように構成する。【選択図】  図１
2011119020.tif 000002
【特許請求の範囲】
【請求項１】
ＡＶデータとともに、該ＡＶデータの管理情報を記録媒体上に記録する記録再生装置に
おいて、
登録された全てのプレイリスト情報を管理する上位の管理単位を有することを特徴とす
る記録再生装置。
【請求項２】
請求項１に記載の記録再生装置において、
前記管理単位は前記プレイリスト情報よりも上位の管理階層で管理するものとし、前記
管理単位はＡＶデータ全ての再生範囲を示す統合情報と同列に扱うように構成することを
特徴とする記録再生装置。
【請求項３】
請求項１及び請求項２に記載の記録再生装置において、
前記管理階層でユーザ定義による統合情報を扱うように構成し、この統合情報には下位
階層に含まれる任意の再生範囲を登録できるように構成することを特徴とする記録再生装
置。
【請求項４】
ＡＶデータとともに、該ＡＶデータの管理情報を記録された記録媒体において、
登録された全てのプレイリスト情報を管理する上位の管理単位を有することを特徴とす
る記録媒体。
【発明の詳細な説明】
【技術分野】
【０００１】
本発明は、記録媒体にデータを記録及び再生する記録再生装置及び記録媒体に関する。
【背景技術】
【０００２】
高能率符号化技術の進展に伴い、映像や音声といったＡＶデータをデジタルデータとし
て符号量圧縮し、ハードディスクや記録型光ディスクなどの大容量の記録媒体へリアルタ
イムに記録することが可能となっている。また、これらの記録媒体を備えた記録再生装置
では、放送や通信により、既に符号量圧縮された状態でデジタルデータが外部から入力さ
れた場合、これらのデジタルデータをそのまま記録媒体へ記録することも可能である。
【０００３】
これらの記録再生装置では、記録するデジタルデータを管理するための管理情報を生成
し、同一の記録媒体上へ合わせて記録する。記録媒体として書換え可能なものを用いた場
合、前記管理情報を書換えて再生順序を示すリスト(以降、プレイリストと呼ぶ)を生成、
操作することにより、ユーザは記録再生装置上での編集作業ができる（例えば、特許文献
１参照）。
【先行技術文献】
【特許文献】
【０００４】
【特許文献１】特開２０００−１５２１８０
【発明の概要】
【発明が解決しようとする課題】
【０００５】
上記従来技術においては、プレイリストはＡＶデータの部分をつなぎ合わせ、再生順序
を指し示したものである、ということについて言及している。
【０００６】
ところで、記録媒体上のＡＶデータの管理状態を図２に示す。２０１は記録媒体上のＡ
Ｖデータそのものであり、記録単位としてプログラム＃１〜プログラム＃３が存在する場
合を示している。２０２は管理情報における第２管理階層(管理レベル２)を示しており、
オリジナルセル情報＃１〜オリジナルセル情報＃３は、夫々プログラム＃１〜プログラム
＃３というプログラム単位の全ての再生範囲を示すものとなっている。またユーザ定義セ
ル情報＃１〜ユーザ定義セル情報＃２はユーザが任意に指定したプログラムの全体あるい
は一部の再生範囲を示すものであり、その数はユーザの編集操作により増減する。２０３
は管理情報の第１管理階層(管理レベル１)を示しており、プログラムセット情報は前記オ
リジナルセル情報＃１〜オリジナルセル情報＃３の全てを含むものであり、これを元に再
生することにより、ユーザは記録媒体上に記録された全てのＡＶデータを再生することが
できる。またプレイリスト情報＃１〜プレイリスト情報＃ｋはユーザが任意に指定した前
記ユーザ定義セル情報の再生順序を示すものであり、複数持つことが可能である。２０４
で示す枠内が、管理情報におけるＡＶデータ全体を管理するオリジナル情報であり、２０
５で示す枠内がユーザの編集操作によるプレイリストを管理するためのユーザ定義情報と
なる。
図２において、プレイリスト情報はプログラムセット情報と同列に、管理レベル１とし
て管理されるため、複数のプレイリスト情報自体の順番は一意に決まってしまい、例えば
複数のユーザが夫々好みのプレイリスト情報を生成、選択して管理したいと思っても実現
することができなかった。またユーザが複数のプレイリストのうち、任意の幾つかのプレ
イリストを選択して管理するということに関しても特に考慮されていなかった。
本発明は係る点に鑑みて成されたものであって、その目的はユーザが任意のプレイリス
トを選択管理できるような記録再生装置を提供することにある。
【課題を解決するための手段】
【０００７】
上記目的を達成するために本発明では、登録された全てのプレイリスト情報を管理する
管理単位及び上位の管理階層を追加し、該管理単位はＡＶデータ全ての再生範囲を示す統
合情報と同列に扱うように構成する。また追加した管理階層でユーザ定義による統合情報
を扱うように構成し、この統合情報には下位階層に含まれる任意の再生範囲を登録できる
ように構成する。
【発明の効果】
【０００８】
本発明による記録再生装置によれば、ユーザは任意のプレイリスト、あるいは再生範囲
を選択して管理することが可能となるため、単一の記録媒体を複数のユーザが共有する場
合などでも、ユーザ毎に好みの再生内容を管理することができ、使い勝手が向上する。
【図面の簡単な説明】
【０００９】
【図１】本発明による記録再生装置でＡＶデータの管理状態を示す図。
【図２】従来例によるＡＶデータの管理状態を示す図。
【図３】本発明による記録再生装置のブロック図。
【図４】オリジナル統合情報の表示出力例。
【図５】プレイリスト統合情報の表示出力例。
【図６】ユーザ定義統合情報の第１の表示出力例。
【図７】ユーザ定義統合情報の第２の表示出力例。
【発明を実施するための形態】
【００１０】
以下、図面を用いて本発明の実施形態について説明する。
【実施例１】
【００１１】
図１は本発明による記録再生装置における、記録媒体上のＡＶデータの管理状態を示す
図である。１０１は図２における２０１と同様に、記録媒体上のＡＶデータそのものであ
り、記録単位としてプログラム＃１〜プログラム＃３が存在する場合を示している。
【００１２】
１０２は図２における２０２に相当し、ここでは管理情報における第３管理階層(管理
レベル３)を示している。プログラム情報＃１〜プログラム情報＃３は、夫々プログラム
＃１〜プログラム＃３というプログラム単位の全ての再生範囲を示すものとなっている。
またプログラム情報＃２ａ〜プログラム情報＃３ａはユーザが任意に指定したプログラム
の全体あるいは一部の再生範囲を示すものであり、ここでは夫々プログラム＃２の一部、
プログラム＃３の一部を示している。プログラム情報＃１〜プログラム情報＃３に相当す
る箇所は、ＡＶデータの追記、つまりプログラムの増加に伴いその情報も追加する。また
プログラム情報＃２ａやプログラム情報＃３ａに相当する箇所は、ユーザの編集操作によ
り、その情報の数が増減する。
【００１３】
１０３は図２における管理レベル１に相当するが、ここでは管理情報の第２管理階層(
管理レベル２)を示しており、プレイリスト情報＃１〜プレイリスト情報＃ｎのみを含む
。夫々のプレイリスト情報は前記管理レベル３における任意のプログラム情報の再生順序
を示すものであり、複数持つことが可能となっている。
【００１４】
１０４が本発明の特徴的な点として、新たに追加した管理情報の第１管理階層(管理レ
ベル１)であり、複数の統合情報を含む。オリジナル統合情報は図２におけるプログラム
セット情報に相当し、管理レベル３におけるプログラム情報＃１〜プログラム情報＃３の
全てを含み、これを元に再生することにより、ユーザは記録媒体上に記録された全てのＡ
Ｖデータを再生することが可能となる。プレイリスト統合情報は管理レベル２におけるプ
レイリスト情報＃１〜プレイリスト情報＃ｎの全てを含み、これを元に再生することによ
り、ユーザは登録されている全てのプレイリストを順次再生することが可能となる。ユー
ザ定義統合情報＃１〜ユーザ定義統合情報＃ｍは、管理レベル２におけるプレイリスト情
報及び管理レベル３におけるプログラム情報のうちの任意の一つあるいは複数を含むもの
である。例えば複数のユーザが単一の記録媒体を用いる場合に、ユーザ単位に一つのユー
ザ定義統合情報を使用することにより、夫々のユーザの嗜好に合致した再生内容を管理す
ることが可能となる。
【００１５】
次に本発明による記録再生装置の実施形態について、別の図を用い、もう少し具体的に
説明する。
【００１６】
図３は本発明による記録再生装置の一例を示すブロック図であり、デジタル放送を受信
して記録媒体に記録し、また記録したデータを再生し、再生出力を得ることができるよう
な記録再生装置を示している。３００は記録再生装置、３０１は入力端子、３０２は復調
回路、３０３は記録系信号処理回路、３０４は記録媒体のドライブ機能を含めた記録再生
系、３０５は記録媒体、３０６は再生系信号処理回路、３０７は切替え回路、３０８は分
離回路、３０９は映像復号回路、３１０はデジタル／アナログ(Ｄ／Ａ)変換回路、３１１
は映像出力端子、３１２は音声復号回路、３１３はＤ／Ａ変換回路、３１４は音声出力端
子、３１５はＴＶセット、３１６はユーザＩ／Ｆ、３１７は制御部、３１８はシステムバ
ス、３１９はＯＳＤ生成部、３２０は加算回路である。
【００１７】
記録時においては、デジタル放送などにより送信され、受信された信号が、復調回路３
０２において所定の方式により復調された後、記録系信号処理回路３０３においてタイミ
ング調整用のデータ付加や変調などの必要な信号処理が施されて、記録再生系３０４によ
り記録媒体３０５へ記録される。また制御部３１７は記録媒体３０５に記録したＡＶデー
タの管理情報を内部的に更新し、適当なタイミングで管理情報を記録媒体３０５へ記録す
る。
再生時においては、ユーザの指示に応じて記録媒体３０５から記録再生系３０４を介して
読み出されたデジタルデータは、再生系信号処理回路１０３において所定の変調方式に則
った形式で復調等の再生に必要な信号処理が施され、切替え回路３０７を介して分離回路
３０８に送られる。映像復号回路３０９では所定の映像復号処理が施されて、Ｄ／Ａ変換
回路３１０においてデジタルデータからアナログ信号への変換が成された後、映像出力端
子３１１を介してＴＶセット３１５のモニタ出力へと表示される。また音声復号回路３１
２では所定の音声復号処理が成され、Ｄ／Ａ変換回路３１３においてデジタルデータから
アナログ信号への変換が成された後、音声出力端子３１４を介してＴＶセット３１５の音
声出力機構により出力される。
【００１８】
制御部３１７は、システムバス３１８を介して記録再生装置３００の各部を制御するも
のであり、またユーザＩ／Ｆ３１６を介して入力されたユーザの指示入力に基づいた動作
を行うように、装置全体を制御する。なおユーザへの指示入力要求、あるいは必要なユー
ザへのＯＳＤ表示は、ＯＳＤ生成部３１９で用意され、加算回路３２０において、映像復
号回路３０９の出力と適当なレベルで加算されて、最終的にＴＶセット３１５のモニタ画
面に出力されることにより実現される。
【００１９】
次に図１における管理情報構成の具体的な使用例として、管理レベル１における各統合
情報を記録データのメニュー表示に使用した場合について説明する。
【００２０】
図４は図１におけるオリジナル統合情報を使用してメニュー表示を行う一例である。３
１５は図３におけるＴＶセットであり、４０１は全プログラム表示用のタグ、４０２はプ
ログラム情報＃１を示すサムネイル、４０３はプログラム情報＃２を示すサムネイル、４
０４はプログラム情報＃３を示すサムネイルである。ユーザはリモコン等により画面上の
カーソル位置を所望のサムネイルに移動して選択決定することにより、任意のプログラム
、あるいは全てのプログラムを再生することができる。
【００２１】
次に図５は図１におけるプレイリスト統合情報を使用してメニュー表示を行う一例であ
る。５０１は全プレイリスト表示用のタグ、５０２はプレイリスト情報＃１を示すサムネ
イル、５０３はプレイリスト情報＃２を示すサムネイルである。ユーザは前述の場合と同
様にリモコン等により画面上のカーソル位置を所望のサムネイルに移動して選択決定する
ことにより、任意のプレイリスト、あるいは全てのプレイリストを再生することができる
。なお前述の全プログラム表示用タグ４０１から全プレイリスト表示用タグ５０１への表
示切り替えは、ユーザが例えばタグの文字位置でカーソルを移動することなどにより実現
することが可能である。
【００２２】
次に図６は図１におけるユーザ定義統合情報＃１を使用してメニュー表示を行う一例で
ある。６０１はユーザ＃１(ここでは「ママ」としている)用メニュー表示用のタグであり
、４０２と５０２は図１からわかるように、プログラム情報＃１及びプレイリスト情報＃
１を示すサムネイルとなっている。「ママ」はママ用メニュー表示用タグ６０１を自分専
用のフォルダとして、自由に再生したいデータを登録、削除することが可能である。
【００２３】
同様に図７は図１におけるユーザ定義統合情報＃２を使用してメニュー表示を行う一例
である。７０１はユーザ＃２(ここでは「パパ」としている)用メニュー表示用のタグであ
り、５０３と５０２は図１からわかるように、プレイリスト情報＃２及びプレイリスト情
報＃１を示すサムネイルとなっている。この場合「パパ」２つのプレイリストを選択して
いるが、その再生順序を変更することが可能となっている。また前述の「ママ」と同様に
、「パパ」はパパ用メニュー表示用タグ７０１を自分専用のフォルダとして、自由に再生
したいデータを登録、削除することが可能である。
【００２４】
以上のように本発明の実施例によれば、登録された全てのプレイリスト情報を管理する
管理単位及び上位の管理階層を追加し、ＡＶデータ全ての再生範囲を示す統合情報と同列
に扱うように構成し、また追加した管理階層でユーザ定義による統合情報を扱うように構
成し、この統合情報には下位階層に含まれる任意の再生範囲を登録できるように構成する
ことにより、ユーザは任意のプレイリスト、あるいは再生範囲を選択して管理することが
可能となるため、単一の記録媒体を複数のユーザが共有する場合などでも、ユーザ毎に好
みの再生内容を管理することができ、使い勝手が向上する。
【００２５】
なお以上の実施例では、デジタル放送を受信してデジタルデータをそのまま記録する場
合について述べたが、これはこの限りではなく、ネットワークＩ／Ｆを具備し、外部ネッ
トワークからＡＶデータを取得したり、符号化手段を具備し、アナログデータを符号化し
ながら記録媒体に記録するような構成でも良い。つまり本実施例は記録媒体上のデータ管
理について言及しているものであり、その入力経路については特に限定されるものではな
い。
【００２６】
また、オリジナル統合情報は管理レベル２においても良い。しかし、オリジナル統合情
報は、実際は記録したプログラムの実体の管理を表すものであり、他のプレイリスト統合
情報やユーザ定義統合情報から参照されるべきものではない。従って、オリジナル統合情
報は、プレイリスト統合情報やユーザ定義統合情報と同じ階層に位置付けた方が良い。
【００２７】
また、記録媒体への記録構造を図１のようにすれば、記録再生装置と同様に使い勝手を
向上させることができる。
【符号の説明】
【００２８】
１０１、２０１ … プログラム(ＡＶストリーム)
１０２ … 管理情報における第３階層
１０３、２０２ … 管理情報における第２階層
１０４、２０３ … 管理情報における第１階層
３０３ … 記録系信号処理
３０４ … 記録再生系
３０５ … 記録媒体
３０６ … 再生系信号処理
３１５ … ＴＶセット
３１６ … ユーザＩ／Ｆ
３１７ … 制御部
３１８ … システムバス
３１９ … ＯＳＤ生成部
４０１ … 全プログラム表示用タグ
５０１ … 全プレイリスト表示用タグ
６０１ … ユーザ＃１用メニュー表示用タグ
７０１ … ユーザ＃２用メニュー表示用タグ
【図１】
2011119020.tif 000003
【図２】
2011119020.tif 000004
【図３】
2011119020.tif 000005
【図４】
2011119020.tif 000006
【図５】
2011119020.tif 000007
【図６】
2011119020.tif 000008
【図７】
2011119020.tif 000009
【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
ＡＶデータとともに、該ＡＶデータの管理情報を記録媒体上に記録する記録再生装置において、
登録された全てのプレイリスト情報を管理する上位の管理単位を有することを特徴とする記録再生装置。
【手続補正２】
【補正対象書類名】明細書
【補正対象項目名】０００７
【補正方法】変更
【補正の内容】
【０００７】
上記目的は、特許請求の範囲に記載の発明により、解決される。